(57)【特許請求の範囲】
【請求項１】
ケーシングに設けた書込面への書込情報を消去する際に発生するインキかすを受け止める粉受け部材と書込面への情報書き込み用の筆記具を保持するペントレイとをそれぞれ上下に備えた書込装置であって、
前記粉受け部材を、ケーシングに対して上下方向に移動可能に設けたことを特徴とする書込装置。
【請求項２】
粉受け部材が、回動させてその先端部で固定し掲示物を書込面に押さえ付けるために、ケーシングに対して、基端部に設けた回動軸を中心として回動可能に取付けられていることを特徴とする請求項１に記載の書込装置。
【請求項３】
粉受け部材が、この先端部分に幅方向全体に亙り突起を有するとともに、先端部と基端部との間を幅方向全体に亙ってフラットな形状に形成したことを特徴とする請求項１又は２に記載の書込装置。
【請求項４】
粉受け部材の一部に、書込面へ情報を書込む筆記具の試し書きエリアを設けたことを特徴とする請求項１ないし３のいずれか１項に記載の書込装置。
【請求項５】
粉受け部材に、静電気除去部材を設けたことを特徴とする請求項１ないし４のいずれか１項に記載の書込装置。
【請求項６】
静電気除去部材として、書込面表面にブラシの先端が接触する除電ブラシを用いたことを特徴とする請求項５に記載の書込装置。
【発明の詳細な説明】
【０００１】
【発明の属する技術分野】
この発明は、例えばホワイトボード、掲示板、伝言板、電子黒板等のように、ケーシング内に書込面を備え、そこに手書きで情報を書込むことができる書込装置に関する。
【０００２】
【従来の技術】
例えば脚で支持されたケーシングの表面側に開口された開口窓から書込面を臨ませ、この書込面に情報を書込むことができるようにした電子黒板が、各種開発され使用されている。
【０００３】
この電子黒板には、例えば、ペントレイを備えたものが知られており、筆記具や黒板消しなどの消去部材をそこに保持できるようになっている。ところで、この電子黒板では、水性ペンなどの筆記具で書込面に情報を書込むと、インキかすが発生して下方へ落下し床面などを汚損しているが、ペントレイを備えたものでは、そのペントレイでそのインキかすを受け、床面などへ落下するのを防止できるようにもなっている。
【０００４】
【発明が解決しようとする課題】
しかしながら、この電子黒板では、ペントレイで受けたインキかすがそのペントレイ内で再び筆記具に付着し、これが書込面に付着して書込面を汚損することがあった。そこで、このような不都合を防止するため、例えば特開平１１−５９０７１号公報に記載のように、粉受け部材をペントレイとは別にその直上に設け、筆記具を保持するペントレイにインキかすが落下するのを防止したものが提案されている。
【０００５】
一方、ここで、このような電子黒板にあっては、通常、文字や図形を手書きで書込むようになっているが、これ以外に、例えば表などを記載したいような場合も考えられる。通常、このような場合には、筆記具を使用し、フリーハンドで作表するようになっているので、きれいな表などを作成することが難しい。
【０００６】
そこで、例えば、特開平１０−２９３９８号公報に記載のように、専用の定規バーを横方向にスライド自在に設け、この定規バーに筆記具を着脱自在に取付けたものが提案されている。
【０００７】
従って、このような事情から、インキかすの飛散防止および筆記具への再付着による書込面へのインキの再汚損防止と、きれいな表を作成できる機能との２つを同時に満たしたものの開発も検討されている。例えば、先述した２つの公報に記載のものを単純に組み合わせることも検討されているが、これでは機構が複雑になり、部品点数が増大して、コスト高を招くと共に、大型化をもたらす虞れがある。
【０００８】
そこで、この請求項１に係る発明は、上記した事情に鑑み、インキかすの飛散防止および筆記具へのインキかすの再付着により書込面をインキかすで再び汚損するといったトラブルを防止できるのと同時に、表等の作成をきれいに行うこともできるものを、機構を簡単に、しかも低コストで、さらに小型化も容易にすることを目的とする。
【０００９】
さらに、例えば、書込面ので情報の書き込み以外に、例えば、各種の図面や資料などの掲示物を書込面に掲示するといったことが行われているが、通常、このような掲示物の掲示手段としては、マグネットなどを使用しており、このようなマグネットを別に用意しておく必要があった。また、この場合には、書込面は、勿論、磁性体で形成したものにかぎられている。
【００１０】
そこで、請求項２に係る発明は、上記した事情に鑑み、マグネットなどの専用の掲示手段を必要としないで、しかも書込面の形成材料には磁性体に限らず各種のものを使用して、書込面に掲示できるようにすることを目的とする。
【００１１】
請求項３に係る発明は、粉受け部材等の受け手段を使用してインキかすを受けて下方への汚損を防止する場合にあっては、その受け手段に堆積したインキかすを容易に除去して清掃するできるようにすることを目的とする。
【００１２】
さらに、書込面に情報などを書込む場合には、使用する筆記具の書き味がどうであるかなどを、例えば書込面以外の適宜の平坦面などを捜して試し書きを行うことがあるが、長期に亙って使用する間に、あちこちにインキの書込跡が汚く残ってしまい、消し取ることができない場合がある。
【００１３】
そこで、請求項４に係る発明は、上記した事情に鑑み、試し書きによって各所が汚損されることが防止できるようにすることを目的とする。
【００１４】
さらに、例えば、書込面に書込んだ情報を消去する際に、黒板消しなどの消去部材を書込面に何度も繰り返し擦ることで、書込面には静電気が発生し易く、使用者の体や衣服などがこれに触れると、吸着したりぱちぱち音がしたり、ときとして体の一部に痛みを生じるなど、不快感をもたらしていた。
【００１５】
そこで、請求項５に係る発明は、不快な静電気を除去して快適な使用ができるようにすることを目的とする。
【００１６】
さらに、この静電気の発生に伴い、インキかすが書込面とケーシングとの間のすきまから書込装置内部へ進入し、書込面であるスクリーンシートの移動機構などの機構部分に進入し、スクリーンシートの搬送に悪影響をもたらすといった問題を生じている。
【００１７】
そこで、請求項６に係る発明は、静電気による書込装置内部へのインキかすの進入を防止できるようにすることを目的とする。
【００１８】
【課題を解決するための手段】
そのため、請求項１に記載の発明は、ケーシングに設けた書込面への書込情報を消去する際に発生するインキかすを受け止める粉受け部材および書込面への情報書き込み用の筆記具を保持するペントレイとをそれぞれ上下に備えた書込装置であって、
前記粉受け部材を、ケーシングに対して上下方向に移動可能に設けたものである。
【００１９】
請求項２に記載の発明は、請求項１に記載の発明において、粉受け部材が、回動させてその先端部で固定し掲示物を書込面に押さえ付けるために、ケーシングに対して、基端部に設けた回動軸を中心として回動可能に取付けられているものである。
【００２０】
請求項３に記載の発明は、請求項１又は２に記載の発明において、粉受け部材が、この先端部分に幅方向全体に亙り突起を有するとともに、先端部と基端部との間を幅方向全体に亙ってフラットな形状に形成したものである。
【００２１】
請求項４に記載の発明は、請求項１ないし３のいずれか１項に記載の発明において、粉受け部材の一部に、書込面へ情報を書込む筆記具の試し書きエリアを設けたものである。
【００２２】
請求項５に記載の発明は、請求項１ないし４のいずれか１項に記載の発明において、粉受け部材に、静電気除去部材を設けたものである。
【００２３】
請求項６に記載の発明は、請求項５に記載の発明において、静電気除去部材として、書込面表面にブラシの先端が接触する除電ブラシを用いたものである。
【００２４】
【発明の実施の形態】
以下、この発明の実施例について添付図面を参照しながら説明する。なお、この実施例において、従来技術と同一部分には、同一符号を付して重複説明を避ける。図１は、この発明に係る書込み装置を示すものであり、この書込み装置は、脚２に支持されたハウジング１に、ペントレイ３と、粉受け部材４とが取付けてある。
【００２５】
ハウジング１は、ベースフレーム１Ａと、外装枠１Ｂとからなる。ベースフレーム１Ａは、脚２の上部に固定されており、外装枠１Ｂを固定している。一方、外装枠１Ｂは、左右に設けた縦枠１１と、上下に設けた横枠１２と、四隅に設けた角枠１３とから構成されており、正面側に大きく開口された書込窓ＷにはエンドレスシートＳの一部を臨ませて書込面Ｄを形成している。
【００２６】
ペントレイ３は、図２及び図３に示すように、断面略Ｌ字形を有するものが下側の横枠１２と一体成形されて（若しくは別体で成形されたものが接着剤などで固着されて）粉受け部材４の直下に位置して取付けられており、上面には水性ペンなどの筆記具Ｐを転がらぬように保持するため、凹凸部分が繰り返し形成されている。
【００２７】
粉受け部材４は、押出し成形でハウジング１とは別に加工されたものが外装枠１Ｂの幅全体に亙る大きさに形成されて左右の縦枠１１に移動可能に取付られている。即ち、この実施例の粉受け部材４は、図３に示すように、縦枠１１に摺動しながら上下方向に移動可能なホルダ４１と、このホルダ４１に回動可能に取付けた軸４２と、圧縮ばね４３を介して軸４２に回動可能に取付けた本体４４とから大略構成されている。
【００２８】
ホルダ４１は、各縦枠１１の互いに相手側に対峙する対向面に形成された凸部に摺動する略Ｕ字形のものからなり、突出した表面の中央部分に係合孔４１Ａが穿設されている。さらに、このホルダ４１には、図５に示すように、水性ペンなどのペン先に付着するインキかすなどを擦って除去するため、発泡性部材４１Ｂを上端部分が一部外側へ突出した状態で収めるタンク部４１Ｃを設けている。
【００２９】
軸４２は、一端側が小径で圧縮ばね４３が挿入されるピン部４２Ａと、他端側がすり割形状を有し端部に大径の鍔４２Ｂを設けたフック部４２Ｃと、ピン部４２Ａとフック部４２Ｃとの中間部分に突出したボス部４２Ｄとを有している。フック部４２Ｃは、ホルダ４１の係合孔４１Ａに回動可能な状態で取付けられる。なお、この軸４２およびホルダ４１は、縦枠１１側との摺動状態を円滑におこなうため、摩耗度の低い樹脂材料、例えばポリアセタールなどで成形するのが好ましい。
【００３０】
本体４４は、基端部側に軸４２のピン部４２Ａが挿入される中空状の軸受部４４Ａを幅全体に亙って形成しているとともに、先端部側には断面略中空環状に形成した凸部４４Ｂを形成している。さらに、これらの間には、フラットな形状を有し、書込面Ｄから落下するインキかすを捕獲する平面部４４Ｃが形成されている。この平面部４４Ｃは、左右両端からインキかすを簡単に落として清掃し易いようにするため、凸部を設けずに平坦に形成してあるとともに、一部には筆記具の試し書きを行うための専用のエリア４４Ｄが形成されている。
【００３１】
さらに、この本体４４には、図４に示すように、静電気除去部材としておよびインキかすの飛散防止或いはインキかすの落下防止のために、先端部分に植毛のブラシ４５Ａを植設したブラシ部材４５を、例えば両面テープなどでその下面全体に亙って固着している。このブラシ部材４５は、ブラシ４５Ａの先端部分が書込面Ｄに触れる長さで本体４４から突出するように取付ける。この例のブラシ４５Ａには、静電気除去用のブラシ、例えばカーボン繊維或いは金属繊維などを使用する。
【００３２】
なお、この例の本体４４は、押出し成形によって形成するようになっているが、この成形性および環境問題を考慮して、アクリロニトリル／ブタジエン／スチレン樹脂などで形成するのが好ましい。さらに、この本体４４は、インキかすが付着・堆積しても外部からこのインキかすが目立たないようにするため、専用のエリア４４Ｄを除き、インキかすと同様の色にコーテイングするか、或いは予め同色系の樹脂材料を使用して成形するのが好ましい。この場合の色としては、見た目に濃いものが好ましいが、インキの付着防止や汚れ防止のため、アクリル処理を施した材料を使用してもよい。一方、専用のエリア４４Ｄの部分には、白目のシート部材を取付けて色彩を平坦部４４Ｃと異ならせてもよい。
【００３３】
次に、この粉受け部材４の組み立て及びハウジング１への取付方法について、説明する。
初めに、軸４２のピン部４２Ａに圧縮ばね４３を挿入し、本体４４の軸受部４４Ａに挿入させる。次に、ホルダ４１の孔４１Ａに軸４２のフック部４２Ｃを挿入し、ホルダ４１に対して回転可能な状態とする。
【００３４】
このようにして、左右一対のホルダ４１を軸４２の先端部に取付けたならば、左右のホルダ４１を圧縮ばね４３の弾性力に抗して本体４４側に押し込むような状態にして全体幅を狭めた格好で、本体ごと左右の縦枠１１間にホルダ４１を嵌め込むように取付ける。なお、このホルダ４１の嵌め込み方法としては、軸４２を本体４４側に押し込ませるのではなく、本体４４を湾曲させるようにして全体幅を狭めて嵌め込んでもよい。
【００３５】
次に、この例の書込み装置を用いた各種の使用方法について、説明する。
例えば、罫線書きを行う場合には、縦線については、粉受け部材４の一部に水性ペンなどの筆記具を手で保持し、その保持位置を動かさないようにして、そのまま粉受け部材４を上下方向にスライドさせれば、縦線が一本引ける。さらにその筆記具の保持位置を適宜の間隔だけずらして、同様の動作をおこなえば、適宜の間隔で縦線がさらに一本引ける。以下、同様にして、多数の縦線を適宜の間隔で引くことができる。
【００３６】
一方、横線については、粉受け部材４の本体４４を所望の位置に固定しておき、その本体４４上縁部に沿って水性ペンなどを移動させれば、横線が一本引ける。さらに、適宜の間隔だけ粉受け部材４を上下方向にスライドさせ、そこで、同様にして、適宜の間隔の横線がさらに一本引ける。以下、同様にして、多数の横線を適宜の間隔で引くことができる。
【００３７】
このようにして、縦横いずれかの方向に線を引いて行けば、所望の罫線が書込めるとともに、縦横の両方向に線を引いていくことで、所望の表を形成することができる。
【００３８】
一方、地図や各種の掲示物を書込面Ｄに固定する場合には、掲示物の大きさに合わせて粉受け部材４を上方にスライドさせ、図６に示すように、掲示物Ｃの上端部近傍まで移動させる。次に、そこで、軸４２を中心として本体４４をほぼ９０度下方（又は９０度程度上方）へ回動させ、本体４４先端の凸部４４Ｂを掲示物Ｃの上端部に押し当てるようにして、掲示物を書込面Ｄに押し付ければよい。
【００３９】
【発明の効果】
以上説明してきたように、この発明によれば、ケーシングに設けた書込面への書込情報を消去する際に発生するインキかすを受け止める粉受け部材および書込面への情報書き込み用の筆記具を保持するペントレイとをそれぞれ上下に備えた書込装置であって、粉受け部材をケーシングに対して上下方向に移動可能に設けており、ペントレイの直上に粉受け部材を設けているから、インキかすの飛散防止および筆記具へのインキかすの再付着により書込面をインキかすで再び汚損するといったトラブルを防止できるのと同時に、粉受け部材が上下方向に移動可能であるから、粉受け部材の上下方向への移動と一体に筆記具を移動させれば、罫線、例えば縦線が簡単に引けるようになり、便宜である。
さらに、粉受け部材を定位置に固定させたまま、この縁部に沿って筆記具を横方向に移動させれば、罫線、例えば横線が簡単に引けるので、これらの縦線および横線を適宜の間隔で交差させれば、表等の作成を簡単に、しかもきれいに行うこともできる。
【００４０】
さらに、請求項２に係る発明によれば、粉受け部材が、回動させてその先端部で固定し掲示物を書込面に押さえ付けるために、ケーシングに対して、基端部に設けた回動軸を中心として回動可能に取付けられており、掲示物の大きさに応じて粉受け部材を上下方向に移動させ、適宜の位置で粉受け部材を回動させ、その先端部を掲示物の上端部に押し当てるようにして書込面に突き当てれば、マグネットなどの専用の掲示手段を必要としないで、しかも書込面の形成材料には磁性体に限らず各種のものを使用して、書込面のどこにでも掲示物を自由に掲示することができるので、便宜である。
【００４１】
さらに、請求項３に係る発明によれば、粉受け部材が、この先端部分に幅方向全体に亙り突起を有するとともに、先端部と基端部との間を幅方向全体に亙ってフラットな形状に形成されており、粉受け部材の先端部と基端部との間に、インキかすが堆積しても、例えばテッシュなどで拭き取りながら残りを両端部から下方へ落とす際に、その直下に別の容器などを下から受けるように配置しておけば、簡単に粉受け部材からインキかすを取り除くことができるから、容易に清掃することができ、都合がよい。
【００４２】
さらに、請求項４に係る発明によれば、粉受け部材の一部に、書込面へ情報を書込む筆記具の試し書きエリアを設けており、従来のように、特定の場所を設けずに書込装置の各所で自由に試し書きを行うことにより各所がインキかすで汚損され外観が損なわれる、といった問題が発生するのを防止でき、長期に亙り外観をきれいに保持できるから、都合がよい。
【００４３】
さらに、請求項５に係る発明によれば、粉受け部材に、静電気除去部材を設けており、書込面などに静電気が発生しても、静電気除去部材でこれを有効に除去することができるから、使用者の体や衣服などが書込面などに触れると、吸着したりぱちぱち音がしたり、ときとして体の一部に電気的な痛みを生じるなど、といった不快感をもたらす虞れがなく、快適に使用することができる。
【００４４】
さらに、請求項６に記載の発明は、静電気除去部材として、書込面表面にブラシの先端が接触する除電ブラシを用いており、静電気による書込装置内部へのインキかすの進入を防止することができるので、機械内部へのインキかすの進入にともなう、故障などの発生が防止できるようになり、信頼度の高いものが提供できるようになる。
【図面の簡単な説明】
【図１】この発明に係る書込装置を示す概略斜視図。
【図２】同装置のケーシングの一部を示す破断斜視図。
【図３】同装置のペントレイと粉受け部材とを示す概略斜視図。
【図４】同粉受け部材の分解斜視図。
【図５】同粉受け部材のホルダを示す概略斜視図。
【図６】同粉受け部材による掲示物の固定状態を示す概略斜視図。
【符号の説明】
１      ハウジング
１Ａ    ベースフレーム
１Ｂ    外装枠
２      脚
３      ペントレイ
４      粉受け部材
４１    ホルダ
４２    軸
４３    圧縮ばね
４４    本体
４４Ｂ  凸部
４４Ｃ  平面部
４４Ｄ  エリア
４５    ブラシ部材
４５Ａ  ブラシ
Ｃ      掲示物
Ｄ      書込面
Ｅ      消去部材
Ｐ      水性ペン
Ｓ      エンドレスシート
【図１】
0004341868.tif 000002
【図２】
0004341868.tif 000003
【図３】
0004341868.tif 000004
【図４】
0004341868.tif 000005
【図５】
0004341868.tif 000006
【図６】
0004341868.tif 000007